(57)【要約】      （修正有）【課題】火災発生を認識して火災発生場所を特定し、これに基づいて避難経路指示を行うことができる空気調和システムを提案する。【解決手段】集中管理装置は、部屋４０で火災が発生した場合、室内機１に設けられた吸込温度センサで検出した室温情報が所定の温度を越えた場合、異常情報として認識する。集中管理装置は火災発生を認識すると、火災報知機４６に火災発生信号を送信して火災報知機４６を作動させると共に、消防機関にも火災発生信号を送信して火災発生通知を行う。また、集中管理装置は、Ａ〜Ｉの各室内機１から入力された室温情報と、記憶部に記憶されている各室内機１の配置情報から火災発生場所を特定する。そして、集中管理装置は、これら室温情報と配置情報とから最適な避難経路を算出し、これに基づいて各室内機１の表示部６を点灯あるいは点滅させて避難経路指示を行う。【選択図】図７
2010151356.tif 000002
【特許請求の範囲】
【請求項１】
表示手段を備えた複数の室内機と、同複数の室内機で検出した室温情報に従って運転制御を行う集中管理装置と、これらに接続されるネットワークとを備えた空気調和システムにおいて、
前記集中管理装置は、前記複数の室内機が設置された部屋での火災発生を通知する火災発生通知手段を備え、同火災発生通知手段からの情報により火災発生を認識した場合、前記室温情報と、前記集中管理装置に予め記憶している前記複数の室内機の配置情報とに基づいて避難経路を算出し、同避難経路を前記表示手段にて指示することを特徴とする空気調和システム。
【請求項２】
前記集中管理装置は、前記複数の室内機で検出した前記室温情報と、前記部屋の出入口と前記複数の室内機との距離とにそれぞれ対応した重み付けとの値により、前記避難経路を算出することを特徴とする請求項１記載の空気調和システム。
【請求項３】
前記複数の室内機は、前記集中管理装置からの指示により前記避難経路を示す少なくとも１つ以上の前記表示手段が備えられていることを特徴とする請求項１記載の空気調和システム。
【請求項４】
前記火災発生通知手段は、前記集中管理装置が入力した前記複数の室内機で検出した前記室温情報のうちいずれか１つが所定温度を超えた場合、前記空気調和システム外部からの火災発生信号を入力した場合、前記集中管理装置で操作員の指示を受けた場合、のいずれかで火災発生と認識することを特徴とする請求項１乃至請求項３記載のいずれかに記載の空気調和システム。
【発明の詳細な説明】
【技術分野】
【０００１】
本発明は、空気調和システムに係わり、より詳細には、複数の室内機が設置された部屋で火災が発生した場合、火災発生場所を特定し室内機に備えられた表示手段を使用して避難経路指示を行う空気調和システムに関する。
【背景技術】
【０００２】
従来、複数の室内機と室外機とを備え、例えばビル等に設置される空気調和システムに火災発生を検知させるものとして、特許文献１に示すように、室内機に火災検知センサを設けて火災発生を検知し、その情報を火災報知機等に送信するものが提案されている（従来例１）。
【０００３】
特許文献１に開示されている空気調和システムは、天井埋込型の室内機と、この室内機に接続される室外機とを有している。室内機には、煙センサや、吸込温度センサや熱交換器温度センサ等といった空調制御にも兼用して使用するセンサおよび天井裏での火災を検知するための外壁温度センサ等といった火災検知センサが設けられている。
【０００４】
室内機が設置された部屋での火災発生を火災検知センサにて検出すると、室内機は空調運転を停止し火災が発生したことを知らせる信号を火災報知機やこれに連動する警報機、消防機関等に送信する。これにより火災の発生を速やかに検知することができ、かつ、室内機に火災検知センサが組み込まれているので空気調和システムの設置工事と共に火災検知センサの設置も一括して行うことができ、工事の手間を削減することができる。
【０００５】
しかし、以上説明した従来例１では、火災報知機やこれに連動する警報機を使用して火災の発生を部屋に存在する人に通知することはできるが、避難経路を指示することは言及されていない。従って、ビルの１フロアを占めるような大きなオフィス等で火災が発生した場合、その中に存在する人が避難口や避難経路を認識することが難しい状況で安全かつ迅速に避難口への誘導等を行う必要がある際には、従来例１では不十分であるという問題があった。
【０００６】
一方、特許文献２には、複数の室内機と室外機および集中管理装置がネットワーク接続されている空気調和システムにおいて、室内機に火災検知センサを備え、集中管理装置が火災発生を検知して誘導灯を作動し避難経路を指示することが提案されている（従来例２）。
【０００７】
特許文献２に開示されている空気調和システムは、複数の部屋に設置された室内機と、これら室内機に接続される室外機と、これら室内機や室外機とネットワーク接続されている集中管理装置とを有している。室内機には、ガスセンサや温度センサ等といった火災検知センサが設けられており、集中管理装置は、ある部屋で火災検知センサにより異常温度やガスの発生が検知された場合、もしくは一定時間火災検知センサからの信号が途絶えた場合は火災発生と判断し、室内機の空調運転を停止して火災報知機を作動させる。
【０００８】
また、予め備えられている避難誘導灯と集中管理装置をネットワーク接続することによって、火災発生時に集中管理装置が火災発生状況に応じて避難誘導灯を作動させ避難経路指示を行う。これにより、火災発生やその発生場所等といった情報を空気調和システムのネットワークを利用して得ることができ、また、火災発生状況に応じて避難誘導を行うことができるので、火災による被害を減少させることができる。
【０００９】
しかし、以上説明した従来例２では、避難経路指示については既存の避難誘導灯を使用しているため、避難誘導灯が設置されていない部屋や建物では新たに避難誘導灯を設置する必要があり設置工事の手間がかかると共にコストがかかるという問題があった。また、避難誘導灯が設置されている場合でも、集中管理装置とネットワーク接続を行う工事が発生してしまうという問題があった。
【特許文献１】特開２００１−３２４１９１号公報（第４〜６頁、第１図、第２図）
【特許文献２】特開２００３−２６９７７３号公報（第３〜４頁、第１図、第３図）
【発明の開示】
【発明が解決しようとする課題】
【００１０】
本発明は以上述べた問題点を解決し、火災発生を認識して火災発生場所を特定し、これに基づいて避難経路指示を行うことができる空気調和システムを提案することを目的とする。
【課題を解決するための手段】
【００１１】
本発明は上述の課題を解決するため、請求項１に関する発明は、表示手段を備えた複数の室内機と、同複数の室内機で検出した室温情報に従って運転制御を行う集中管理装置と、これらに接続されるネットワークとを備えた空気調和システムにおいて、前記集中管理装置は、前記複数の室内機が設置された部屋での火災発生を通知する火災発生通知手段を備え、同火災発生通知手段からの情報により火災発生を認識した場合、前記室温情報と、前記集中管理装置に予め記憶している前記複数の室内機の配置情報とに基づいて避難経路を算出し、同避難経路を前記表示手段にて指示することを特徴としている。
【００１２】
また、請求項２に関する発明は、前記集中管理装置は、前記複数の室内機で検出した前記室温情報と、前記部屋の出入口と前記複数の室内機との距離とにそれぞれ対応した重み付けとの値により、前記避難経路を算出することを特徴としている。
【００１３】
また、請求項３に関する発明は、前記複数の室内機は、前記集中管理装置からの指示により前記避難経路を示す少なくとも１つ以上の前記表示手段が備えられていることを特徴としている。
【００１４】
さらには、請求項４に関する発明は、前記火災発生通知手段は、前記集中管理装置が入力した前記複数の室内機で検出した前記室温情報のうちいずれか１つが所定温度を超えた場合、前記空気調和システム外部からの火災発生信号を入力した場合、前記集中管理装置で操作員の指示を受けた場合、のいずれかで火災発生と認識することを特徴としている。
【発明の効果】
【００１５】
請求項１に係わる発明は、複数の室内機や室外機と、これらの運転制御や運転状況の監視を行う集中管理装置とがネットワークで接続されて空気調和システムが構成されており、集中管理装置の記憶部には、室内機が設置された部屋の避難口である出入口から各室内機までの距離によって各室内機の位置を特定するための配置情報が保存されている。集中管理装置は、自身に備えられている火災発生通知手段からの情報によって室内機が設置されている部屋で火災が発生したことを認識すると、各室内機から入力した室温情報と記憶部から読み出した配置情報とから火災発生場所を特定し、避難経路を算出して適切な避難経路指示を行うことができる。
【００１６】
集中管理装置は算出した避難経路に基づいて、各室内機に備えられた表示手段を、例えば火災発生場所から出入口に向かうに従って点滅回数を少なくする等の方法で点灯もしくは点滅させて、部屋に存在する人に避難経路を指示する。これにより、空気調和システムを設置するだけで室内機に備えられた表示手段を利用して避難経路指示が行え、設置工事が簡略化されると共にコストを抑えることができる。
【００１７】
請求項２に係わる発明は、配置情報に対応した重み付け値を用いて避難経路を算出することによって、避難経路の算出を簡単に行うことができる。
【００１８】
また、請求項３に係わる発明は、表示手段を室内機の所定の場所、例えば、略正方形の化粧カバーを有する天井埋込型室内機の外縁四辺の中央部４箇所、に設けて前後／左右を表示できるような表示手段を設けることによって、避難経路（避難方向）を明確に表示することができ、より確実に避難誘導を行うことができる。
【００１９】
さらには、請求項４に係わる発明は、集中管理装置に備えられた火災発生通知手段は、上述した各室内機から入力した室温情報による火災発生の認識以外に、空気調和システム外部例えば部屋に設置されている火災報知機から火災発生信号を入力した場合や、集中管理装置を操作する人によって指示を受けた場合においても、火災発生を認識することができる。これにより、集中管理装置への室温情報の入力以外のタイミングで火災が発生しても、集中管理装置は火災発生を認識することができ、迅速に避難経路指示を行うことができる。
【発明を実施するための最良の形態】
【００２０】
以下、本発明の実施の形態を、添付図面に基づいて詳細に説明する。尚、実施例としては、複数の天井埋込型室内機が部屋に設置され、これに接続される複数の室外機と集中管理装置とがネットワーク接続されている空気調和システムを例に挙げて説明することとする。
【実施例１】
【００２１】
図１は本発明の実施例である空気調和システムの天井埋込型室内機（以下、必要な場合を除き室内機と記載する）を示しており、（Ａ）は室内機を室内側から見た場合（意匠面）の外観斜視図、（Ｂ）は（Ａ）におけるａ部拡大図である。また、図２は本発明による室内機が天井に設置された状態における要部断面図である。この室内機１は、装置筐体であるケーシング１３とその下面に取り付けられる化粧パネル２とを有しており、化粧パネル２は天井面１０に沿って室内１１に面して配置されている。
【００２２】
この化粧パネル２は、図１（Ａ）に示すように略矩形の形状を有し樹脂材で形成されている。化粧パネル２の中央部には、略矩形の形状を有した吸込グリル５が設けられ、また、風向板４を備え吸込グリル５を取り囲むよう四方に配置された吹出口３と、吸込グリル５と吹出口３との間に表示部６とが設けられている。
【００２３】
表示部６は、図１（Ｂ）に示すように、電源オン／オフ表示部６ａと、風向板動作表示部６ｂと、タイマ運転表示部６ｃとで構成される機能表示部と、図示しないリモコンから送信される赤外線信号を受信するリモコン受光部６ｄとで構成されている。機能表示部はＬＥＤ等の点灯により状態が表示されるものであり、例えば、室内機が電源オン（運転状態）の場合は電源オン／オフ表示部６ａは緑色、室内機が電源オフ（待機状態）の場合は電源オン／オフ表示部６ａは赤色で表示される、というようになっている。
【００２４】
図２に示すように、吸込グリル５の上方には、塵埃を除去するフィルタ２２が配置されており、その内部には矢印で示す風路２１が区画されている。この風路２１は、吸込グリル５と各吹出口３とを連通している。ケーシング１３の中央部には、ファンモータ１５が配置されその回転軸にはファン１４が取り付けられており、ファン１４の周囲を取り囲むよう熱交換器１６が環状に配置されている。ケーシング１３の内面には風路２１とケーシング１３の外部である天井裏１２とを断熱するための断熱材１７が設けられている。
【００２５】
熱交換器１６の下方には、熱交換器１６から落下するドレン水を受けるドレンパン１８が環状に配置されている。ドレンパン１８の内側には、吸込グリル５からの空気をファン１４に導くベルマウス１９が配置されており、ベルマウス１９の下面には、回路基板等の電装品を収容する電装品箱２０が設けられている。
【００２６】
ベルマウス１９には、室内１１の室温を検出するために吸込グリル５から吸い込んだ空気の温度を検出するサーミスタ等の吸込温度センサ３０が設けられている。また、熱交換器１６には、冷媒の温度の異常上昇を検出するサーミスタ等の熱交換器温度センサ３１が設けられている。尚、室内機１の通常運転時にはこれら吸込温度センサ３０や熱交換器温度センサ３１で検出された温度情報に基づいて空調制御を行うのであるが、本実施例では、吸込温度センサ３０を火災検知手段として兼用して使用する。
【００２７】
次に、上述した室内機１を含めた空気調和システムの部屋への設置状態について説明する。図３は本発明による空気調和システムの設置状態を示す概略図であり、部屋４０には複数の室内機１と火災報知機４６とが設置されている。部屋４０は略矩形の形状であり、避難口でもある出入口４１および出入口４２が備えられている。室内機１は部屋４０に縦に３台、横に３台の計９台が略等間隔で設置されており、第１列は左から右にＡ、Ｂ、Ｃとし、第２列は左から右にＤ，Ｅ，Ｆ、第３列は左から右にＧ，Ｈ，Ｉとしている。従って、出入口４１に一番近い室内機１はＡとなり、出入口４２に一番近い室内機１はＩとなる。
【００２８】
また、これら室内機１には、後述する集中管理装置５０にてそれぞれの室内機１を特定するために識別ＩＤが付与されており、Ａ、Ｂ、Ｃ・・・の順にそれぞれ識別ＩＤ：００１、００２、００３・・・としている。
【００２９】
尚、以下の説明では、部屋４０に設置されている室内機全体を説明する場合は室内機１と表記し、個別に言及する場合は室内機Ａ、室内機Ｂ・・・というように記載する。
【００３０】
火災報知機４６は、部屋４０の一端（壁）に設置されており、火災発生を検知して音や光で通知すると共に、外部へ火災発生信号を送信することができる。
【００３１】
部屋４０の外部には、室外機４３と集中管理装置５０とが設置されている。室外機４３は３台設置されており、各々が室内機１を３台ずつ受け持っている。集中管理装置５０は、空調機ネットワーク４４を介して室内機１や室外機４３と接続されており、これら室内機１や室外機４３の運転状況の監視や部屋４０における空調運転の制御を行う。また、集中管理装置５０は、外部通信ネットワーク４５を介して火災報知機４６や、公衆回線４８を経て消防署等の消防機関４７と接続されている。
【００３２】
図４は集中管理装置５０の要部構成ブロック図である。集中管理装置５０は、空調機ネットワーク４４に接続され室内機１や室外機４３との通信を行う通信部５２と、外部通信ネットワーク４５に接続され火災報知機４６や消防機関４７との通信を行う外部通信部５３と、空気調和システムの設定条件や室内機１の配置情報等を記憶している記憶部５４と、ディスプレイ等のマンマシンインターフェイスである表示部５５と、集中管理装置５０の操作員が入力を行うためのキーボード等からなる入力部５６と、これらを制御する制御部５１とから構成されている。
【００３３】
以上説明した構成において、集中管理装置５０は、室内機１で検出した室温情報を定期的に取り込んで記憶し、これらが通常の空調制御ではありえない異常に高い温度を超えた異常情報であるか否かを判断する。取り込んだ室温情報が異常情報であれば、集中管理装置５０は火災発生を認識し、火災報知機４６に火災発生信号を送信して火災報知機４６を作動させると共に、消防機関４７にも火災発生信号を送信して火災発生通知を行う。
【００３４】
また、集中管理装置５０は、室内機１から入力された室温情報と、記憶部５４に記憶されている室内機１の配置情報とから火災発生場所を特定する。そして、集中管理装置５０は、これら室温情報と配置情報とから最適な避難経路を算出し、これに基づいて各室内機１の表示部６を点灯あるいは点滅させて避難経路指示を行う。
【００３５】
次に、図２、図４および図５乃至図７を用いて、部屋４０で火災が発生した場合の火災発生場所特定と避難経路算出の原理について説明する。図５は部屋４０での火災発生状況を示す図である。また、図６は避難経路算出に使用する重み付け値を記載したテーブルの説明図であり、（Ａ）は各室内機１の識別ＩＤと出入口４１あるいは出入口４２からの距離（以下、必要な場合を除き距離と記載する）や、各室内機１での検出温度（以下、必要な場合を除き検出温度と記載する）に関するテーブル、（Ｂ）は距離の重み付け値と各室内機１の識別ＩＤとの相関を示すマトリクステーブル、（Ｃ）は検出温度の重み付け値と各室内機１の識別ＩＤとの相関を示すマトリクステーブルを示している。
【００３６】
また、図７は火災発生場所に対応した避難経路指示を示す図であり、（Ａ）は室内機Ｉ付近で火災が発生した場合のａ．避難経路算出のためのマトリクステーブルとｂ．避難経路、（Ｂ）は室内機Ｄ，Ｅ，Ｇ，Ｈ中央部で火災が発生した場合のａ．避難経路算出のためのマトリクステーブルとｂ．避難経路を示している。
【００３７】
集中管理装置５０の記憶部５４には、図６（Ａ）に示すような距離／検出温度の重み付けテーブルがあらかじめ設けられている。このテーブルで、室内機１に付与されている識別ＩＤ、出入口４１あるいは出入口４２からの距離とその距離による重み付け値については予め入力されているものである。また、集中管理装置５０は、室内機１で検出した室温情報を定期的に取り込んで距離／検出温度の重み付けテーブルに入力する。
【００３８】
距離については、室内機１が出入口４１もしくは出入口４２どちらか近い方からの距離を記憶させており、例えば室内機Ｂは出入口４１に近いので出入口４１からの距離を、室内機Ｆは出入口４２に近いので出入口４２からの距離を入力している。距離による重み付け値については、値を３段階表示とし、出入口４１もしくは出入口４２からの距離が０〜４．９ｍの場合を「１」、５．０〜８．９ｍの場合を「２」、９．０ｍ以上を「３」としている。この重み付け値と室内機１の識別ＩＤを用いて、図６（Ｂ）に示すような部屋４０における室内機１の設置場所に対応させて識別ＩＤと距離重み付け値が記載されている距離重み付け値のマトリクステーブルが作成され、記憶部５４に保存されている。
【００３９】
次に部屋４０で火災が発生した場合について、ここでは図５に示すように火災発生場所が（１）（室内機Ｉ真下）の場合、又は、火災発生場所が（２）（室内機Ｄ，Ｅ，Ｇ，Ｈ中央部）の場合を例に挙げて説明する。集中管理装置５０は、制御部５１および記憶部５４等の図４に示すハードウェアと、集中管理装置５０の機能を実現するためのソフトウェアとで構成されており、これらハードウェアとソフトウェアの一部から、室内機１から入力される室温情報に基づいて火災発生を認識し、火災発生を通知する火災発生通知手段が構成されている。
【００４０】
制御部５１は、所定のタイミングで室内機１から吸込温度センサ３０で検出した室温情報を取り込み、室内機１のいずれかで検出した室温情報の中に所定の温度、例えば１００℃を超える異常温度が存在したとする。本例では、火災発生場所（１）の場合は室内機Ｉでの検出温度が１７０．０℃、火災発生場所（２）の場合は室内機Ｄ、Ｅ、Ｇ、Ｈでの検出温度がそれぞれ１４５．０℃、１４７．０℃、１５１．０℃、１４８．５℃であったとする。
【００４１】
室内機１から入力される室温情報には室内機１の識別ＩＤも含まれており、制御部５１は所定温度、例えば１００℃以上からなるこれら異常温度を検知すると部屋４０で火災が発生したと認識すると共に、図６（Ａ）のテーブルを参照して、火災発生場所（１）の場合では室内機Ｉ真下付近、火災発生場所（２）の場合では室内機１のＤ、Ｅ、Ｇ、Ｈの中央およびその周辺が火災発生場所であると認識する。
【００４２】
制御部５１は異常温度を検出すると、検出温度による重み付け値を算出してテーブルに入力する。検出温度による重み付け値は、値を５段階表示とし一番高い検出温度、火災発生場所（１）の場合では室内機Ｉで検出された１７０℃、火災発生場所（２）の場合では室内機Ｇで検出された１５１℃、を基準としこれに対する各室内機１での検出温度の割合で決定する。ここでは、割合が０〜２０％の場合を「１」、２１〜４０％の場合を「２」、４１〜６０％の場合を「３」、６１〜８０％の場合を「４」、８１〜１００％の場合を「５」、としている。
【００４３】
制御部５１は、検出温度の重み付け値と室内機１の識別ＩＤを用いて、図６（Ｃ）に示すような部屋４０における室内機１の設置場所に対応させて識別ＩＤと検出温度重み付け値が記載されている検出温度重み付け値のマトリクステーブルを作成し、記憶部５４に保存する。ここでは、図６（Ｃ）に示すように、ａが火災発生場所（１）の場合の、ｂが火災発生場所（２）の場合の検出温度重み付け値のマトリクステーブルとなる。
【００４４】
次に制御部５１は、得られた距離重み付け値によるマトリクステーブルの重み付け値と検出温度重み付け値によるマトリクステーブルの重み付け値とを、マトリクステーブルの対応するマス毎に加算して図７に示す避難経路算出のためのマトリクステーブルを作成する。加算は、室内機１（の識別ＩＤ）毎に行い、火災発生場所（１）の場合は図６（Ｂ）の距離重み付け値のマトリクステーブルと図６（Ｃ）ａの検出温度重み付け値のマトリクステーブルを加算して図７（Ａ）ａに示すマトリクステーブル、火災発生場所（２）の場合は図６（Ｂ）の距離重み付け値のマトリクステーブルと図６（Ｃ）ｂの検出温度重み付け値のマトリクステーブルを加算して図７（Ｂ）ａに示すマトリクステーブルとなる。
【００４５】
このようにして得られた避難経路算出のためのマトリクステーブルから、制御部５１は避難経路を決定し、室内機１の表示部を使用して避難経路指示を行う。避難経路の決定は、避難経路算出のためのマトリクステーブルに記載された値の大きい方から小さい方へ導くよう、すなわちより危険度が低い方に導くよう行う。
【００４６】
火災発生場所（１）の場合では、図７（Ａ）ａのマトリクステーブルに示すように、室内機Ｉに対応する値が「６」と一番大きく、室内機Ｉから一番遠くかつ出入口４１に近い室内機Ａへ移動するに従って値が小さくなるため、制御部５１は、避難経路は図７（Ａ）ｂの避難経路図に示す矢印のように、室内機ＩからＦ（値５）→Ｃ（値４）→Ｂ（値３）→Ａ（値２）、又は室内機ＩからＨ（値５）→Ｇ（値４）→Ｄ（値３）→Ａ（値２）、又は室内機ＩからＥ（値５）→Ａ（値２）と決定する。
【００４７】
同様に火災発生場所（２）の場合では、図７（Ｂ）ａのマトリクステーブルに示すように、室内機Ｇに対応する値が「８」と一番大きく、室内機Ｄ、ＥおよびＨに対応する値も「７」と大きい。また、これらの室内機１から遠くかつ出入口４１や出入口４２に近い室内機ＡやＩへ移動するに従って値は小さくなるため、制御部５１は、避難経路は図７（Ｂ）ｂの避難経路図に示す矢印のように、室内機ＤからＡ（値３）、又は室内機ＥからＡ（値３）、又は室内機ＥからＢ（値４）→Ａ（値３）、もしくは、室内機Ｈから→Ｉ（値３）、又は室内機ＥからＩ（値３）、又は室内機ＥからＦ（値４）→Ｉ（値３）と決定する。
【００４８】
次に、図１、図２、図４および図５〜図７を用いて、本実施例における空気調和システムが部屋４０において火災発生を認識して火災発生場所を特定し、避難経路を算出して避難経路指示を行う動作について説明する。室内機１が設置されている部屋４０に存在する人が室内機１のいずれかもしくはすべての電源をオンすると、集中管理装置５０の制御部５１は部屋４０の空調運転を開始する。空調運転開始後、制御部５１は、定期的に室内機１の吸込温度センサ３０で検出した部屋４０の室温情報を取り込む。通常はこれら取り込んだ室温情報に基づいて制御部５１は部屋４０の空調制御を行っている。
【００４９】
部屋４０で火災が発生すると、火災発生場所では温度が急激に上昇する。図５では、火災発生場所（１）の場合は室内機Ｉが設置されている付近の温度が、火災発生場所（２）の場合は室内機Ｄ，Ｅ，Ｇ，Ｈが設置されている付近の温度が急激に上昇する。この時に室内機１の吸込温度センサ３０で検出された室温情報が制御部５１に入力されると、制御部５１はこれら室温情報の中に所定の温度、例えば１００℃を超える温度があることを認識し、部屋４０で火災が発生したことを認識する。
【００５０】
火災発生を認識した制御部５１は、通信部５２を介して室内機１や室外機４３の空調運転を停止すると共に、外部通信部５３、外部通信ネットワーク４５を介して火災発生信号を火災報知機４６に送信する。火災発生信号を受信した火災報知機４６は、音や光を用いて火災発生を部屋４０に存在する人に報知する。また、火災発生信号は外部通信部５３、外部通信ネットワーク４５および公衆回線４８を介して消防機関４７にも送信される。
【００５１】
そして制御部５１は、図６（Ａ）に示すテーブルに入力されている検出温度（＝室温情報）と室内機１の識別ＩＤとから火災発生場所を特定する。例えば、火災発生場所（１）の場合は室内機Ｉで検出した温度が１７０．０℃であるため室内機Ｉ真下付近を、火災発生場所（２）の場合は室内機Ｄ，Ｅ，Ｇ，Ｈで検出した温度がそれぞれ１４５．０℃、１４７．０℃、１５１．０℃、１４８．５℃であるため室内機Ｄ，Ｅ，Ｇ，Ｈの中央およびその周辺を火災発生場所と特定する。
【００５２】
次に制御部５１は、室内機１での検出温度による重み付け値を算出し図６（Ａ）の示すテーブルの検出温度による重み付け項に入力する。そして、制御部５１は、検出温度の重み付け値と室内機１の識別ＩＤを用いて、図６（Ｃ）に示すような部屋４０における室内機１の設置場所に対応させて識別ＩＤと検出温度重み付け値が記載されている検出温度重み付け値のマトリクステーブルを作成し、記憶部５４に保存する。検出温度重み付け値のマトリクステーブルは、図６（Ｃ）に示すように火災発生場所（１）の場合はａ、火災発生場所（２）の場合はｂのようになる。
【００５３】
次に制御部５１は、図６（Ｂ）に示す距離重み付け値のマトリクステーブルと、図６（Ｃ）に示す検出温度重み付け値のマトリクステーブルを記憶部５４から呼び出し、これらを加算して図７に示す避難経路算出のためのマトリクステーブルを得る。制御部５１は、このマトリクステーブルに記載の値の大きい方から小さい方へと導くよう避難経路を決定する。火災発生場所（１）の場合の避難経路算出のためのマトリクステーブルは図７（Ａ）ａ、避難経路は図７（Ａ）ｂに、火災発生場所（２）の場合の避難経路算出のためのマトリクステーブルは図７（Ｂ）ａ、避難経路は図７（Ｂ）ｂにそれぞれ示す。
【００５４】
そして、制御部５１は決定した避難経路に基づいて、室内機１の表示部６を使用して避難経路指示を行う。表示部６を使用した避難経路指示としては、電源オン／オフ表示部６ａ、風向板動作表示部６ｂおよびタイマ運転表示部６ｃといった機能表示部を、所定時間内に避難経路算出のためのマトリクステーブルに記載の値の回数点滅させることを周期的に繰り返すことで避難経路を指示する。
【００５５】
避難経路指示の方法を火災発生場所（１）の場合を例に挙げて説明すると、避難経路が室内機ＩからＦ→Ｃ→Ｂ→Ａ、又は室内機ＩからＨ→Ｇ→Ｄ→Ａ、又は室内機ＩからＥ→Ａであるため、各室内機１の表示部６（６ａ、６ｂ、６ｃ）の点滅回数をそれぞれ、室内機Ｉ：６回、Ｆ：５回、Ｃ：４回、Ｂ：３回、Ａ：２回、又は室内機１のＩ：６回、Ｈ：５回、Ｇ：４回、Ｄ：３回、Ａ：２回、又は室内機１のＩ：６回、Ｅ：５回、Ａ：２回として、部屋４０に存在する人を点滅回数が少ない方へ避難誘導する。また、火災発生場所（２）の場合の避難経路指示についても同様に各室内機１の表示部６の点滅回数にて行う。
【００５６】
以上説明した実施例では、避難経路指示については表示部６の点滅により行うことを説明したが、これに限らず、例えば、避難経路算出のためのマトリクステーブルの値に応じて点灯する個数を増減して指示してもよく、値の大きい方から小さい方へ順に流れるよう点滅していくようにしてもよい。
【００５７】
また、室内機に設けた吸込温度センサで検出した室温情報から火災発生を認識することを説明したが、これに限らず、室内機には他のセンサ、例えば煙センサや火災で発生するガスを検出するガスセンサを設けて、これらで検出した情報から火災発生を認識してもよい。
【００５８】
また、制御部５１は室内機１からの室温情報を定期的に取り込むことにより火災発生を認識することを説明したが、制御部５１は、火災発生を検知した火災報知機４６から入力される火災発生信号によって火災発生を認識した場合や、集中管理装置５０の操作員により入力部５６からの入力によって火災発生を認識した場合でも、上述した説明と同様に制御部５１は火災発生場所特定から避難経路指示までを行うことができる。
【００５９】
次に図４に示す集中管理装置５０の制御部５１での処理を示すフローチャートを用いて、火災発生認識から避難経路指示までの流れを説明する。図８のフローチャートは、制御部５１での火災発生の認識から避難経路を算出して指示するまでの処理を示している。尚、図８中でＳＴはステップを、これに続く数字はステップ番号をそれぞれ表している。
【００６０】
制御部５１は風量や風向の調整等といった通常の空調制御を開始し、定期的に入力される室内機１での検出する室温情報を監視し、その温度が所定温度を超えていないかを確認して、もしくは火災報知機４６からの火災発生信号の入力や操作員による入力部５６からの入力等といった室内機１以外からの火災発生信号の入力の有無によって、火災が発生しているか否かを認識する（ＳＴ１）。火災発生を認識しなければ（ＳＴ１−Ｎｏ）、制御部５１は通常の空調制御を行って空調運転を維持し（ＳＴ１０）、ＳＴ１へジャンプする。
【００６１】
火災発生を認識すれば（ＳＴ１−Ｙｅｓ）、それが室内機１からの入力による認識なのか否かを判断する（ＳＴ２）。室内機１からの入力による認識であれば（ＳＴ２−Ｙｅｓ）、制御部５１は、外部通信部５３から火災報知機４６や消防機関４７へ火災発生信号を送信し（ＳＴ１１）、ＳＴ３にジャンプする。室内機１からの入力による認識でなければ（ＳＴ２−Ｎｏ）、ＳＴ３へジャンプする。
【００６２】
制御部５１は、室内機１や室外機４３を停止して空調運転を停止する（ＳＴ３）。そして、制御部５１は、距離／検出温度の重み付けテーブルに入力されている室内機１での検出温度と室内機１の識別ＩＤとから火災発生場所を特定する（ＳＴ４）。
【００６３】
次に、制御部５１は、室内機１での検出温度から算出した重み付け値を距離／検出温度の重み付けテーブルに入力する（ＳＴ５）。そして、制御部５１は、検出温度重み付け値のマトリクステーブルを作成して記憶部５４に保存する（ＳＴ６）。
【００６４】
次に、制御部５１は、予め保存されている距離重み付け値のマトリクステーブルと検出温度重み付け値のマトリクステーブルとを記憶部５４から読み出し加算して、避難経路算出のためのマトリクステーブルを作成し（ＳＴ７）、その避難経路算出のためのマトリクステーブルに基づいて避難経路を決定し（ＳＴ８）、これに対応した避難経路指示を室内機１の表示部６を点滅させることによって行う（ＳＴ９）。そして、ＳＴ１にジャンプする。尚、ＳＴ９の避難経路指示の継続時間は、例えば火災発生から所定の時間まで指示を継続する、延焼によって室内機の機能が維持できなくなるまで指示を行う等、予め設定しておけばよい。また、集中管理装置からの操作員の指示等、外部からの指示によって避難経路指示を停止するようにしてもよい。
【実施例２】
【００６５】
図９は本発明による他の実施例である空気調和システムの天井埋込型室内機を示しており、（Ａ）は室内機を室内側から見た場合（意匠面）の外観斜視図、（Ｂ）は室内機を室内側から見た場合（意匠面）の正面図である。この室内機１’は、図１で説明した室内機１に類似するため、図１で説明した構成については同じ番号を付して詳細な説明を省略する。図１で説明した室内機１と異なるのは、化粧パネル２に方向表示部７を設けていることである。この方向表示部７は、略矩形の形状でありＬＥＤ等で形成されており、図９（Ｂ）に示すように吹出口３と化粧パネル２の外縁との間かつ吹出口３の長手方向中央部に設けられており、四方に配置されている。
【００６６】
次に、この室内機１’が設置された部屋で火災が発生した場合の避難経路指示の方法について説明する。尚、吸込温度センサやファンが格納されている装置筐体部や部屋への室内機の設置状態、集中管理装置の構成、火災発生の認識から避難経路算出に至るプロセスについては実施例１と同様であるためその説明を省略する。
【００６７】
図１０は火災発生場所による避難経路指示を示す図である。ここでは、火災発生場所（１）の場合について避難経路指示の説明を行う。図１０は、図７（Ａ）で説明した避難経路指示の説明図に類似するため、図７（Ａ）で説明した構成については詳細な説明を省略する。図７（Ａ）と異なるのは、室内機１が室内機１’となっていることである。また、室内機１’の説明については、部屋４０に設置されている室内機全体を説明する場合は室内機１’と表記し、個別に言及する場合は室内機Ａ、室内機Ｂ・・・というように記載する。
【００６８】
火災発生場所（１）の場合では、制御部５１は図１０ａに示す避難経路算出のためのマトリクステーブルに記載の値に基づいて、避難経路を図１０ｂの避難経路図に示す矢印のように、室内機１’のＩからＦ（値５）→Ｃ（値４）→Ｂ（値３）→Ａ（値２）、又は室内機ＩからＨ（値５）→Ｇ（値４）→Ｄ（値３）→Ａ（値２）、又は室内機ＩからＥ（値５）→Ａ（値２）と決定する。そして、制御部５１は室内機１’の方向表示部７を、避難経路算出のためのマトリクステーブルに記載の値が大きい方から小さい方へ誘導するよう点灯する。
【００６９】
例えば、避難経路が室内機ＩからＦ→Ｃ→Ｂ→Ａの場合、室内機ＦとＣとの値を比べると、室内機Ｆの値が「５」、室内機Ｃの値が「４」であるため、室内機Ｆの方向表示部７は、図１０ｂの避難経路図に示すように室内機Ｃに近いものを点灯させる。以下同様に室内機Ｃの方向表示部７は室内機Ｂに近いものを、室内機Ｂの方向表示部７は室内機Ａに近いものをそれぞれ点灯させることによって、避難方向を明確にしより確実な避難経路指示を行うことができる。
【００７０】
以上説明した実施例では、方向表示部は室内機の化粧パネルの四方に設けられている場合について説明したが、これに限らず、例えば方向表示部が化粧パネルの四隅に設けられていてもよく、四方四隅に設けて八方に方向指示ができるようにしてもよい。また、方向表示部に、矢印のような方向を示す記号や、東西南北あるいは左右前後といった文字で方向を表示するようにしてもよい。つまりは、方向表示部によって避難する方向がわかるようになっていればよい。
【００７１】
以上説明したとおり、本発明によれば、複数の室内機や室外機と、これらの運転制御や運転状況の監視を行う集中管理装置とがネットワークで接続されて空気調和システムが構成されており、集中管理装置の記憶部には、室内機が設置された部屋の避難口である出入口から各室内機までの距離によって各室内機の位置を特定するための配置情報が保存されている。集中管理装置は、自身に備えられている火災発生通知手段からの情報によって室内機が設置されている部屋で火災が発生したことを認識すると、各室内機から入力した室温情報と記憶部から読み出した配置情報とから火災発生場所を特定し、避難経路を算出して適切な避難経路指示を行うことができる。
【００７２】
集中管理装置は算出した避難経路に基づいて、各室内機に備えられた表示手段を、例えば火災発生場所から出入口に向かうに従って点滅回数を少なくする等の方法で点灯もしくは点滅させて、部屋に存在する人に避難経路を指示する。これにより、空気調和システムを設置するだけで室内機に備えられた表示手段を利用して避難経路指示が行え、設置工事が簡略化されると共にコストを抑えることができる。また、配置情報に対応した重み付け値を用いて避難経路を算出することによって、避難経路の算出を簡単に行うことができる。
【００７３】
また、表示手段を室内機の所定の場所、例えば、略正方形の化粧カバーを有する天井埋込型室内機の外縁四辺の中央部４箇所に設けて前後／左右を表示できるような表示手段を設けることによって、避難経路（避難方向）を明確に表示することができ、より確実に避難誘導を行うことができる。
【００７４】
さらには、集中管理装置に備えられた火災発生通知手段は、上述した各室内機から入力した室温情報による火災発生の認識以外に、空気調和システム外部例えば部屋に設置されている火災報知機から火災発生信号を入力した場合や、集中管理装置を操作する人によって指示を受けた場合においても、火災発生を認識することができる。これにより、集中管理装置への室温情報の入力以外のタイミングで火災が発生しても、集中管理装置は火災発生を認識することができ、迅速に避難経路指示を行うことができる。
【００７５】
尚、本実施例では、室内機に備えられた表示手段を使用して避難経路指示を行うことについて説明しているが、室内機に備えられている圧電素子やスピーカといった音声発生手段を用いて避難経路指示を行うようにしてもよい。この場合の避難経路の指示方法としては、圧電素子が備えられている場合は、部屋に設置されている各室内機から、避難方向へ向かって順に電子音が鳴っていくようにすればよく、スピーカが備えられている場合は、避難方向をアナウンスするようにすればよい。
【００７６】
このように音声発生手段を使用すれば、部屋に目の不自由な人が存在する場合や部屋の間仕切りの設置具合によって室内機が視認しにくいような場合でも避難経路指示を行うことができる。また、表示手段による避難経路指示と併せて使用することで、より確実に避難経路指示を行うことができる。
【図面の簡単な説明】
【００７７】
【図１】本発明による空気調和システムの実施例における、天井埋込型室内機を説明する図面であり、（Ａ）は室内機意匠面の外観斜視図、（Ｂ）は（Ａ）におけるａ部拡大図である。
【図２】本発明による空気調和システムの実施例における、天井埋込型室内機の要部断面図である。
【図３】本発明による空気調和システムの設置状態を示す概略図である。
【図４】本発明による集中管理装置の要部構成ブロック図である。
【図５】本発明による空気調和システムが設置された部屋での火災発生状況を示す図である。
【図６】本発明による避難経路算出に使用する重み付け値を記載したテーブルの説明図であり、（Ａ）は室内機ＩＤや距離、検出温度とその重み付けを記載したテーブル、（Ｂ）は距離重み付けのマトリクステーブル、（Ｃ）は検出温度重み付けのマトリクステーブルである。
【図７】火災発生場所による避難経路指示を示す図であり、（Ａ）は火災発生場所（１）の場合、（Ｂ）は火災発生場所（２）の場合である。
【図８】制御部での火災発生の認識から避難経路を算出して指示するまでの処理を示すフローチャートである。
【図９】本発明による空気調和システムの他の実施例における、天井埋込型室内機を説明する図面であり、（Ａ）は室内機意匠面の外観斜視図、（Ｂ）は室内機意匠面の正面図である。
【図１０】本発明による空気調和システムの他の実施例における、火災発生場所による避難経路指示を示す図である。
【符号の説明】
【００７８】
１、１’  室内機
２  化粧パネル
３  吹出口
５  吸込グリル
６  表示部
６ａ  電源オン／オフ表示部
６ｂ  風向板動作表示部
６ｃ  タイマ運転表示部
７  方向表示部
３０  吸込温度センサ
４０  部屋
４１  出入口
４２  出入口
４４  空調機ネットワーク
４５  外部通信ネットワーク  
４６  火災報知機
５０  集中管理装置
５１  制御部
５２  通信部
５３  外部通信部
５４  記憶部
【図１】
2010151356.tif 000003
【図２】
2010151356.tif 000004
【図３】
2010151356.tif 000005
【図４】
2010151356.tif 000006
【図５】
2010151356.tif 000007
【図６】
2010151356.tif 000008
【図７】
2010151356.tif 000009
【図８】
2010151356.tif 000010
【図９】
2010151356.tif 000011
【図１０】
2010151356.tif 000012